(57)【要約】【課題】  配電線から分岐した分岐線を配電線と同じ高さから引き出し、最外側の配電線に取り付けた支持具で支持する。【解決手段】  複数の配電線３７ａ、３７ｂ、３７ｃが間隔をおいて架設された架空配電線の分岐装置１であって、複数の配電線３７ａ、３７ｂ、３７ｃのうちの少なくとも最外側の配電線３７ａに取り付けられて、各配電線３７ａ、３７ｂ、３７ｃから分岐した各分岐線３８ａ、３８ｂ、３８ｃを支持する絶縁体からなる支持具２と、支持具２に各分岐線を３７ａ、３７ｂ、３７ｃ固定する固定部材１０とを備える。複数の配電線３７ａ、３７ｂ、３７ｃ間には、複数の配電線３７ａ、３７ｂ、３７ｃの隣接する配電線３７ａ〜３７ｂ、３７ｂ〜３７ｃ間を所定の間隔に保持する絶縁体からなる間隔保持具２０が取り付けられる。【選択図】  図２
2010268637.tif 000002
【特許請求の範囲】
【請求項１】
複数の配電線が間隔をおいて架設された架空配電線の分岐装置であって、
前記複数の配電線のうちの少なくとも最外側の配電線に取り付けられて、前記各配電線から分岐した各分岐線を支持する絶縁体からなる支持具と、該支持具に前記各分岐線を固定する固定部材とを備えていることを特徴とする架空配電線の分岐装置。
【請求項２】
前記複数の配電線間には、前記複数の配電線の隣接する配電線間を所定の間隔に保持する絶縁体からなる間隔保持具が取り付けられていることを特徴とする請求項１に記載の架空配電線の分岐装置。
【請求項３】
複数の配電線が水平方向又は垂直方向に間隔をおいて架設された架空配電線の分岐方法であって、
前記複数の配電線のうちの少なくとも最外側の配電線に絶縁体からなる支持具を取り付け、該支持具によって前記各配電線から分岐した各分岐線を支持するとともに、該各分岐線を固定部材によって前記支持具に固定し、さらに、前記複数の配電線間に、前記複数の配電線の隣接する配電線間を所定の間隔に保持する絶縁体からなる間隔保持具を取り付けることを特徴とする架空配電線の分岐方法。
【発明の詳細な説明】
【技術分野】
【０００１】
本発明は、架空配電線の分岐装置および分岐方法に関し、特に、低圧配電線の分岐に有効な架空配電線の分岐装置及び分岐方法に関する。
【背景技術】
【０００２】
一般に、電柱間に複数の配電線が架設された低圧配電系統を途中から分岐する場合、例えば、複数の配電線が水平方向に間隔をおいて架設された低圧配電系統の場合には、隣接する電柱間の配電線の下方の部分にメッセンジャーワイヤーを架け渡し、このメッセンジャーワイヤーに絶縁体からなるスペーサを取り付け、このスペーサに各配電線から分岐した各分岐線を巻付けグリップで固定して支持し、その上で、各分岐線を分岐系統の電柱間に架設している（例えば、特許文献１参照。）。
【先行技術文献】
【特許文献】
【０００３】
【特許文献１】特開２００３−３２８６３号
【発明の概要】
【発明が解決しようとする課題】
【０００４】
ところで、特許文献１に記載のような方法で分岐線を各配電線から分岐させる場合、配電線の下方に電話線、通信線等の各種の共架電線が架設されている場合には、それらの共架電線を避けてメッセンジャーワイヤーを架け渡さなければならず、メッセンジャーワイヤーで支持する分岐線が道路法等で規定された高さよりも低い位置に配置されてしまう。
【０００５】
このため、既設の電柱を嵩上げするか、或いは既設の電柱をより高いものと交換して配電線を上方に架設し直し、その下方にメッセンジャーワイヤーを架設して分岐線を支持しなければならず、分岐作業に時間と手間と費用がかかることになる。
【０００６】
また、メッセンジャーワイヤーを道路法等で規定された高さよりも高い位置に架設できた場合であっても、スペーサ及び分岐線の重みによってメッセンジャーワイヤーに弛み生じ、分岐線が道路法等で規定された高さよりも低い位置に下がってしまうこともある。
【０００７】
さらに、メッセンジャーワイヤーに取り付けるスペーサが高価であるため、分岐作業全体としてのコストが嵩むことになる。さらに、メッセンジャーワイヤー、スペーサ等の存在によって景観を損ねてしまう。
【０００８】
本発明は、上記のような従来の問題に鑑みなされたものであって、配電線を容易に短時間で低コストで分岐することができるとともに、景観を損ねることがない、架空配電線の分岐装置及び分岐方法を提供することを目的とする。
【課題を解決するための手段】
【０００９】
上記のような課題を解決するために、本発明は、以下のような手段を採用している。
すなわち、請求項１に係る発明は、複数の配電線が間隔をおいて架設された架空配電線の分岐装置であって、前記複数の配電線のうちの少なくとも最外側の配電線に取り付けられて、前記各配電線から分岐した各分岐線を支持する絶縁体からなる支持具と、該支持具に前記各分岐線を固定する固定部材とを備えていることを特徴とする。
【００１０】
本発明の架空配電線の分岐装置によれば、各配電線から分岐した各分岐線を少なくとも最外側の配電線に取り付けた支持具によって支持することができるので、各分岐線を支持するために、配電線の下方の電話線、通信線等の各種の共架電線を避けてメッセンジャーワイヤーを架設したり、既設の電柱を嵩上げしたり、既設の電柱をより高いものと交換する必要はなく、分岐作業を容易に、短時間で、低コストで行うことができる。また、各分岐線を各配電線と同じ高さから引き出し、分岐系統の電柱間に架設することになるので、各分岐線が道路法等で定める高さよりも低い位置に配置されるようなことはない。
【００１１】
また、本発明において、前記複数の配電線間には、前記複数の配電線の隣接する配電線間を所定の間隔に保持する絶縁体からなる間隔保持具が取り付けられていることとしてもよい。
【００１２】
本発明の架空配電線の分岐装置によれば、少なくとも最外側の配電線に支持具を取り付け、この支持具で各配電線から分岐した各分岐線を支持した場合に、支持具及び各分岐線の重みによって隣接する配電線間の間隔が狭まろうとするが、複数の配電線間には間隔保持具が取り付けられているので、この間隔保持具によって隣接する配電線間を所定の間隔に保ち続けることができる。
【００１３】
さらに、本発明は、複数の配電線が水平方向又は垂直方向に間隔をおいて架設された架空配電線の分岐方法であって、前記複数の配電線のうちの少なくとも最外側の配電線に絶縁体からなる支持具を取り付け、該支持具によって前記各配電線から分岐した各分岐線を支持するとともに、該各分岐線を固定部材によって前記支持具に固定し、さらに、前記複数の配電線間に、前記複数の配電線の隣接する配電線間を所定の間隔に保持する絶縁体からなる間隔保持具を取り付けることを特徴とする。
【００１４】
本発明の架空配電線の分岐方法によれば、複数の配電線のうちの少なくとも最外側の配電線に支持具を取り付け、この支持具によって各配電線から分岐した各分岐線を支持し、各分岐線を固定部材によって支持具に固定し、さらに、複数の配電線間に間隔保持具を取り付けることで、各配電線から分岐した各分岐線を支持具に支持した状態に固定できるとともに、複数の配電線の隣接する配電線間を所定の間隔に保つことができることになる。
【発明の効果】
【００１５】
以上、説明したように、本発明の架空配電線の分岐装置及び分岐方法によれば、少なくとも最外側の配電線に取り付けた支持具によって各配電線から分岐した各分岐線を支持するように構成したので、各分岐線を支持するために電話線、通信線等の各種の共架電線を避けてメッセンジャーワイヤーを電柱間に架設したり、既設の電柱を嵩上げしたり、既設の電柱をより高いものと交換したりする必要はなく、分岐作業を容易に、短時間で、低コストで行うことができる。
また、メッセンジャーワイヤーやメッセンジャーワイヤーに取り付けるスペーサが不要になるので、それらの存在によって景観を損ねるようなこともない。
【図面の簡単な説明】
【００１６】
【図１】本発明による架空配電線の分岐装置の一実施の形態の全体を示した概略平面図である。
【図２】図１のＡ部の拡大図である。
【図３】支持具の平面図である。
【図４】図３の正面図である。
【図５】間隔保持具の平面図である。
【図６】図５の正面図である。
【図７】図２の部分拡大図である。
【図８】図７のＡ矢視図である。
【図９】支持具の変形例を示した説明図であって、図７のＡ方向から見た説明図である。
【図１０】間隔保持具の変形例を示した平面図である。
【図１１】図１０の分岐線固定具の正面図である。
【図１２】図１１のＢ矢視図である。
【図１３】分岐方法の変形例を示した説明図である。
【発明を実施するための形態】
【００１７】
以下、図面を参照しながら本発明の実施の形態について説明する。
本発明の架空配電線の分岐装置１は、複数の配電線が水平方向又は垂直方向に間隔をおいて架設された配電系統を途中から分岐するのに有効なものであって、本実施の形態においては、図１に示すように、３本の低圧配電線（以下、配電線（第１配電線３７ａ、第２配電線３７ｂ、第３配電線３７ｃ）という。）が水平方向（又は垂直方向）に間隔をおいて架設された三相の低圧配電系統に適用している。
【００１８】
すなわち、本実施の形態の架空配電線の分岐装置１は、図１及び図２に示すように、最外側の第１配電線３７ａに取り付けられて、各配電線（第１配電線３７ａ、第２配電線３７ｂ、第３配電線３７ｃ）から分岐した各分岐線（第１分岐線３８ａ、第２分岐線３８ｂ、第３分岐線３８ｃ）を支持する支持具２と、支持具２に各分岐線（第１分岐線３８ａ、第２分岐線３８ｂ、第３分岐線３８ｃ）を支持した状態に固定する固定部材１０と、第１配電線３７ａ、第２配電線３７ｂ、及び第３配電線３７ｃ間に取り付けられて、隣接する配電線間（第１配電線３７ａと第２配電線３７ｂとの間、第２配電線３７ｂと第３配電線３７ｃとの間）を所定の間隔に保持する一対の間隔保持具２０とを備えている。
【００１９】
支持具２は、図３、図４、図７、及び図８に示すように、筒状の本体部３と、本体部３の外周側に一体に設けられる複数（本実施の形態ではの３つ）の分岐線支持部６と、本体部３の外周側の長手方向の両端部に設けられる間隔保持具支持部１３とを備えている。
【００２０】
本体部３は、絶縁性、耐候性、及び所定の強度を有する材料（強化繊維プラスチック等の強化プラスチック等）から形成されるものであって、軸線方向に２つ（半円筒状の第１分割部４と半円筒状の第２分割部５）に分割され、第１分割部４と第２分割部５とを互いに組み合わせることで筒状に形成されている。
【００２１】
なお、本体部３は、図９に示すように、第１分割部４を断面略Ｃ形状に形成し、第２分割部５を第１分割部４の開口部を閉塞する略Ｉ形状に形成し、第１分割部４と第２分割部５とを互いに組み合わせることで筒状に形成してもよい。このように本体部３の第１分割部４及び第２分割部５を構成することにより、本体部３による各分岐線（第１分岐線３８ａ、第２分岐線３８ｂ、第３分岐線３８ｃ）の支持強度を図７及び図８に示す形態のものよりも高めることができる。
【００２２】
本体部３は、図７及び図８に示すように、内側に第１配電線３７ａを挿通させた状態で、両端側の後述する間隔保持具支持部１３にそれぞれ間隔保持具２０を取り付け、外周側の後述する各分岐線支持部６に固定部材１０をそれぞれ取り付けることで第１配電線３０ａ上に取り付けられる。
【００２３】
本体部３は、内径が第１配電線３０ａの外径と略同一か、或いは第１配電線３０ａの外径よりもやや小さい寸法の筒状に形成され、これにより、本体部３を第１配電線３０ａに取り付けたときに、本体部３の内周側で第１配電線３０ａの被覆を押圧することができ、支持具２が第１配電線３０ａ上を長手方向に移動したり、第１配電線３０ａ上で回動したりするのを防止できる。
【００２４】
各分岐線支持部６は、本体部３と同様に、絶縁性、耐候性、及び所定の強度を有する材料（強化繊維プラスチック等の強化プラスチック等）から形成されるものであって、本体部３の外周側に所定の間隔ごとに一体に設けられている。
【００２５】
各分岐線支持部６は、外周面の中央部に全周に亘る溝部９が設けられる略ボビン状をなすものであって、本体部３と同じ位置から軸線方向に２つ（略半ボビン状の第１分割部７と略半ボビン状の第２分割部８）に分割されている。
【００２６】
各分岐線支持部６は、第１分割部７が本体部３の第１分割部４の外周側に一体に設けられ、第２分割部８が本体部４の第２分割部５の外周側に一体に設けられ、本体部３の第１分割部４と第２分割部５とを互いに組み合わせたときに、分岐線支持部６の第１分割部７と第２分割部８も互いに組み合わされて略ボビン状に形成されるようになっている。
【００２７】
なお、図９に示すように、本体部３の第１分割部４を断面略Ｃ形状に形成し、第２分割部５を略Ｉ形状に形成した場合には、それに対応して、図示はしないが、分岐線支持部６を断面略Ｃ形状の第１分割部７と断面略Ｉ形状の第２分割部８の２つに分割し、それらを組み合わせることによって略ボビン状をなすように構成すればよい。
【００２８】
各分岐線支持部６の溝部９には、図２に示すように、固定部材１０がそれぞれ取り付けられ、この固定部材１０に各配電線（第１配電線３７ａ、第２配電線３７ｂ、第３配電線３７ｃ）から分岐し、かつ各分岐線支持部６の上方又は下方を通した各分岐線（第１分岐線３８ａ、第２分岐線３８ｂ、第３分岐線３８ｃ）を固定することにより、各分岐線（第１分岐線３８ａ、第２分岐線３８ｂ、第３分岐線３８ｃ）が各分岐線支持部６に支持されるようになっている。
【００２９】
固定部材１０としては、各分岐線（第１分岐線３８ａ、第２分岐線３８ｂ、第３分岐線３８ｃ）を各分岐線支持部６に固定できるものであれば特に制限はなく、例えば、公知の各種の巻付グリップ、引留グリップ、バンド線等を用いることができる。本実施の形態においては、固定部材１０に亜鉛メッキ鋼線からなる巻付グリップ１１を用い、この巻付グリップ１１を各分岐線支持部６の溝部９に巻き付け、この巻付グリップ１１の端部に保護テープ１２を介して各分岐線（第１分岐線３８ａ、第２分岐線３８ｂ、第３分岐線３８ｃ）を固定している。
【００３０】
なお、図示はしないが、分岐線支持部６を本体部３と別体に形成し、本体部３を第１配電線３７ａに取り付けた上で、本体部３の外周側に分岐線支持部６を取り付けるように構成してもよい。その場合には、分岐線支持部６の溝部９内に固定部材１０を取り付けることで、分岐線支持部６が本体部３の外周側に固定されることになる。
【００３１】
間隔保持具支持部１３は、図３、図４、図７、及び図８に示すように、本体部３と別体に形成される環状をなすものであって、内径が本体部３の両端部を嵌合させ得る寸法に形成されている。間隔保持具支持部１３は、本体部３と同様に、絶縁性、耐候性、及び所定の強度を有する材料（強化繊維プラスチック等の強化プラスチック等）から形成されている。
【００３２】
間隔保持具支持部１３は、軸線方向に２つ（半環状の第１分割部１４と半環状の第２分割部１５）に分割され、第１分割１４と第２分割部１５とを組み合わせることで環状に形成されている。間隔保持具支持部１３の外周面の中央部には取付溝１６が設けられ、この取付溝１６内に後述する間隔保持具２０の取付部２２が取り付けられるようになっている。
【００３３】
間隔保持具支持部１３は、第１分割部１４と第２分割部１５との分割面が、本体部３の第１分割部４と第２分割部５との分割面から周方向に９０°ずれた位置に位置するように、本体部３の両端部の外周側に取り付けられている。
【００３４】
なお、図９に示すように、本体部３の第１分割部４を断面略Ｃ形状に形成し、第２分割部５を断面略Ｉ形状に形成した場合には、本体部３の第１分割部４と第２分割部５との分割面が、間隔保持具支持部１３の第１分割部１４と第２分割部１５の分割面と周方向に９０°ずれた位置に位置するように、本体部３の両端部の外周側に間隔保持具支持部１３を取り付ければよい。
【００３５】
間隔保持具支持部１３の両端の本体部３の外周側の部分には、それぞれ環状のストップリング１７が取り付けられ、このストップリング１７によって間隔保持具支持部１３が本体部３の長手方向に移動するのを防止している。
【００３６】
ストップリング１７は、本体部３と同様に、絶縁性、耐候性、及び所定の強度を有する材料（強化繊維プラスチック等の強化プラスチック等）から形成されるものであって、接着剤等の接合手段によって本体部３に一体に接合されている。
【００３７】
なお、図示はしないが、ストップリング１７を２つ割り（半環状の第１分割部と半環状の第２分割部）に形成し、第１分割部と第２分割部とをねじ等によって一体に連結することで、本体部３の外周側に取り付けるように構成してもよい。
【００３８】
間隔保持具２０は、図５及び図６に示すように、絶縁性、耐候性、及び所定の強度を有する材料（強化繊維プラスチック等の強化プラスチック等）から形成される棒状の本体部２１と、本体部２１の長手方向の一端部に設けられる取付部２２と、本体部２１の長手方向の他端部に設けられるフック部２５と、本体部２１の中央部及びフック部２５に隣接する部分に設けられる配電線支持部２６とを備えている。
【００３９】
間隔保持具２０は、図１、図２、図７、及び図８に示すように、本体部２１を第１配電線３７ａ、第２配電線３７ｂ、第３配電線３７ｃ間に、各第１配電線３７ａ、第２配電線３７ｂ、及び第３配電線３７ｃと直交するように掛け渡し、本体部２１の長手方向の一端の取付部２２を支持具２の間隔保持具支持部１３に取り付け、本体部２１の中央部の配電線支持部２６を巻付グリップ、バインド線等の固定部材１０によって第２配電線３７ｂに固定し、本体部２１の長手方向の他端部の配電線支持部２６を巻付グリップ、バインド線等の固定部材１０によって第３配電線３７ｃに固定することで第１配電線３７ａ、第２配電線３７ｂ、及び第３配電線３７ｃ間に取り付けられる。これにより、隣接する配電線間（第１配電線３７ａと第２配電線３７ｂとの間、第２配電線３７ｂと第３配電線３７ｃとの間）を所定の間隔に保たれる。
【００４０】
この場合、取付部２２は、本体部２１の長手方向の一端部に一体に連結される基部２３と、基部２３に一体に設けられる一部が切り離された帯環状のバンド部２４とを備え、バンド部２４を間隔保持具支持部１３の取付溝１６内に嵌合させた状態で、バンド部２４の切り離された部分の端部間をボルト・ナット２８で連結することで、間隔保持具支持具１３に取り付けられるようになっている。
【００４１】
また、配電線支持部２６は、図５及び図６に示すように、支持具２の分岐線支持部６と同様に略ボビン状をなすものであって、図２及び図７に示すように、外周面の中央部に設けた溝部２７内に巻付グリップ、バインド線等の固定部材１０を取り付け、この固定部材１０に配電線支持部２６の上方を通した第２配電線３７ｂ、第３配電線３７ｃを固定することで、第２配電線３７ｂ、第３配電線３７ｃに固定されるようになっている。
【００４２】
なお、間隔保持具２０は、図１０に示すように、支持具２の両端に三角形状をなすように取り付けてもよい。
【００４３】
この場合、間隔保持具２０の本体部２１の長手方向の一端部に取付部２２を所定の角度で設け、本体部２１の長手方向の他端部及び中央部に配電線支持部２６を所定の角度で設ける。また、一方の間隔保持具２０の本体部２１に分岐線固定具２９を取り付け、この分岐線固定具２９によって第３分岐線３８ｃを本体部２１に固定する。これにより、第３分岐線３８ｃが第２配電線３７ｂと接触するのを防止することができる。
【００４４】
分岐線固定具２９は、図１１及び図１２に示すように、間隔保持具２０の本体部２１を挿通させる第１取付部３３と、第３分岐線３８ｃを取り付ける第２取付部３４とを一体に形成し、第１取付部３３及び第２取付部３４を中央部から２つ（第１分割部３０及び第２分割部３１）に分割し、かつ、第１分割部３０と第２分割部３１とをピン３２を介して開閉自在に連結して構成したものである。
【００４５】
分岐線固定具２９は、第１分割部３０と第２分割部３１とを開いた状態で第１取付部３３の内側に間隔保持具２０の本体部２１を挿通させ、この後に、第１分割部３０と第２分割３１部とを閉じ、この状態で第２取付部３４と第３分岐線３８ｃとの間に巻付グリップ、バインド線等の固定部材３５を巻き付けることにより、第１分割部３０と第２分割部３１とを閉じた状態に保持することができるとともに、第３分岐線３８ｃを第２取付部３４に固定することができる。
【００４６】
この場合、第１取付部３３と第２取付部３４との間には所定の距離が設けられているので、第１取付部３３に取り付けられる間隔保持具２０の本体部２１に固定される第２配電線３７ｂに第２取付部３４に固定される第３分岐線３８ｃが接触するのを防止できる。
【００４７】
次に、上記のように構成した分岐装置を用いた架空配電線の分岐方法の一実施の形態について説明する。
まず、低圧配電系統の分岐対象箇所において、図１及び図２に示すように、３本の配電線（第１配電線３７ａ、第２配電線３７ｂ、及び第３配電線３７ｃ）間に２つの間隔保持具２０、２０を所定の間隔（支持具２の本体部３を両側から挟持可能な間隔）をおいて、かつ、第１配電線３７ａ、第２配電線３７ｂ、及び第３配電線３７ｃと直交するように配置し、各間隔保持具２０の各配電線支持部２６の溝部２７に巻付グリップ１１を介して第２配電線３７ｂ及び第３配電線３７ｃを固定し、各間隔保持具２０を第１配電線３７ａ、第２配電線３７ｂ、及び第３配電線３７ｃ間に取り付ける。
【００４８】
次に、第１配電線３７ａを径方向の両側から挟持するように支持具２の本体部３の第１分割部４及び第２分割部５を配置し、本体部３の外周側の各分岐線支持部６の溝部９内に巻付グリップ１１を取り付け、本体部３の第１分割部４と第２分割部５とを互いに組み合わせた状態に保持する。
【００４９】
次に、支持具２の本体部３の両端部外周側に、本体部３を径方向の両側から挟持するように間隔保持具支持部１３の第１分割部１４及び第２分割部１５を配置し、各間隔保持具支持部１３の外周側の取付溝１６内に各間隔保持具２０の取付部２２のバンド部２４を嵌合させ、バンド部２４の切り離した端部間をボルト・ナット２８で連結し、各間隔保持具２０の取付部２２を間隔保持具支持部１３に取り付ける。そして、間隔保持具支持部１３の両側の本体部３の外周面上にストップリング１７を取り付け、各ストップリング１７を接着剤等によって本体部３に接合し、間隔保持具支持部１３が本体部３の長手方向に移動するのを防止する。
【００５０】
この場合、図７及び図８に示すように、本体部３の第１分割部４と第２分割部５との分割面に対して、間隔保持具支持部１３の第１分割部１４と第２分割部１５との分割面が周方向に９０°ずれた位置に配置されるように、間隔保持具支持部１３と本体部３との周方向への相対的な位置を調整する。このような位置関係に本体部３及び間隔保持具支持部１３を調整することで、支持具２の各分岐線（第１分岐線３８ａ、第２分岐線３８ｂ、第３分岐線３８ｃ）の支持強度を高めることができる。
【００５１】
次に、各配電線（第１配電線３７ａ、第２配電線３７ｂ、及び第３配電線３７ｃ）に各分岐線（第１分岐線３８ａ、第２分岐線３８ｂ、及び第３分岐線３８ｃ）を接続金具３６によって接続し、第１分岐線３８ａ、第２分岐線３８ｂ、及び第３分岐線３８ｃを第１配電線３７ａ、第２配電線３７ｂ、及び第３配電線３７ｃと直交する方向に引き出す。この場合、第１分岐線３８ａは支持具２の分岐線支持部６の上方を通し、第２分岐線３８ｂ及び第３分岐線３８ｃは支持具２の分岐線支持部６の下方を通す。
【００５２】
次に、第１分岐線３８ａを図中右側の分岐線支持部６に取り付けた巻付グリップ１１の端部に保護テープ１２によって固定し、第２分岐線３８ｂを図中中央の分岐線支持部６に取り付けた巻付グリップ１１の端部に保護テープ１２によって固定し、第３分岐線３８ｃを図中左側の分岐線支持部６に取り付けた巻付グリップ１１に保護テープ１２によって固定する。
【００５３】
このようにして、各配電線（第１配電線３７ａ、第２配電線３７ｂ、及び第３配電線３７ｃ）から分岐した各分岐線（第１分岐線３８ａ、第２分岐線３８ｂ、及び第３分岐線３８ｃ）を第１配電線３７ａ上の支持具２で支持した後に、予め設置しておいた分岐系統の電柱間に架設することで分岐作業が完了することになる。
【００５４】
上記のように構成した本実施の形態による架空配電線の分岐装置及び分岐方法にあっては、第１配電線３７ａに取り付けた支持具２で各分岐線（第１分岐線３８ａ、第２分岐線３８ｂ、及び第３分岐線３８ｃ）を支持することで、各分岐線（第１分岐線３８ａ、第２分岐線３８ｂ、及び第３分岐線３８ｃ）を各配電線（第１配電線３７ａ、第２配電線３７ｂ、及び第３配電線３７ｃ）から同一高さで引き出しているので、各配電線（第１配電線３７ａ、第２配電線３７ｂ、及び第３配電線３７ｃ）の下方に架設されている電話線、通信線等の各種の共架電線が邪魔になるようなことはない。
【００５５】
従って、共架電線を避けて、共架電線の下方にメッセンジャーワイヤーを架け渡したり、既設の電柱を嵩上げしたり、より高いものと交換する必要はなく、各配電線（第１配電線３７ａ、第２配電線３７ｂ、及び第３配電線３７ｃ）の分岐作業を容易に、短時間で、低コストで行うことができる。
【００５６】
また、支持具２及び各分岐線（第１分岐線３８ａ、第２分岐線３８ｂ、及び第３分岐線３８ｃ）の重みによって第１配電線３７ａに弛みが生じても、各分岐線（第１分岐線３８ａ、第２分岐線３８ｂ、及び第３分岐線３８ｃ）が道路法等で規定する高さよりも下方に垂れ下がるようなことはない。
【００５７】
さらに、第１配電線３７ａ、第２配電線３７ｂ、及び第３配電線３７ｃ間には間隔保持具２０が取り付けられ、この間隔保持具２０によって第１配電線３７ａと第２配電線３０７との間、及び第２配電線３７ｂと第３配電線３７ｃとの間が所定の間隔に保持されているので、支持具２及び各分岐線（第１分岐線３８ａ、第２分岐線３８ｂ、及び第３分岐線３８ｃ）の重みが第１配電線３７ａに作用しても、隣接する配電線（第１配電線３７ａと第２配電線３７ｂ、第２配電線３７ｂと第３配電線３７ｃ）が互いに接触するようなことはない。
【００５８】
さらに、メッセンジャーワイヤー、スペーサ等が不要であるので、それらの存在によって景観を損ねるようなことはなく、高価なスペーサを使用する必要がないので、コストを低減させることもできる。
【００５９】
なお、図１３に示すように、道路の交差点等のように、電柱を設置できない箇所で分岐作業を行う場合には、第１配電線３７ａ、第２配電線３７ｂ、及び第３配電線３７ｃ間に取り付けた間隔保持具２０のフック部２５を利用し、このフック部２５にバックステー３９を取り付ければよい。
【００６０】
なお、前記の説明においては、３本の配電線のうちの最外側の配電線（第１配電線）に支持具を取り付けたが、中側の第２配電線、又は内側の第３配電線に支持具を取り付けてもよいし、第１配電線、第２配電線、第３配電線の全てに支持具を取り付けてもよい。
【００６１】
さらに、前記の説明においては、３本の配電線が架設された低圧配電系統に本発明を適用したが、２本又は４本以上の配電線が架設された低圧配電系統に本発明を適用してもよいものであり、その場合にも同様の作用効果を奏する。
【符号の説明】
【００６２】
１  分岐装置
２  支持具
３  本体部
４  第１分割部
５  第２分割部
６  分岐線支持部
７  第１分割部
８  第２分割部
９  溝部
１０  固定部材
１１  巻付グリップ
１２  保護テープ
１３  間隔保持具支持部
１４  第１分割部
１５  第２分割部
１６  取付溝
１７  ストップリング
２０  間隔保持具
２１  本体部
２２  取付部
２３  基部
２４  バンド部
２５  フック部
２６  配電線支持部
２７  溝部
２８  ボルト・ナット
２９  分岐線固定具
３０  第１分割部
３１  第２分割部
３２  ピン
３３  第１取付部
３４  第２取付部
３５  固定部材
３６  接続金具
３７  配電線
３７ａ  第１配電線
３７ｂ  第２配電線
３７ｃ  第３配電線
３８  分岐線
３８ａ  第１分岐線
３８ｂ  第２分岐線
３８ｃ  第３分岐線
３９  バックステー
【図１】
2010268637.tif 000003
【図２】
2010268637.tif 000004
【図３】
2010268637.tif 000005
【図４】
2010268637.tif 000006
【図５】
2010268637.tif 000007
【図６】
2010268637.tif 000008
【図７】
2010268637.tif 000009
【図８】
2010268637.tif 000010
【図９】
2010268637.tif 000011
【図１０】
2010268637.tif 000012
【図１１】
2010268637.tif 000013
【図１２】
2010268637.tif 000014
【図１３】
2010268637.tif 000015